(57)【要約】【課題】合焦位置検出において、ズーム、フォーカス、開口絞り以外の光学系の変更による収差の変化の影響を低減させ、より高精度な合焦位置検出を行うことが可能な撮像装置を提供すること。【解決手段】撮像装置は、フォーカシングのために移動するフォーカスレンズ群と、変倍時に移動する少なくとも二つの変倍レンズ群と、フォーカスレンズ群、変倍レンズ群以外に光軸方向に可動な移動レンズ群と、レンズからの被写体光を受光して映像信号を記録する手段と、被写体光の前記映像信号または位相差信号に基づいて合焦位置検出を行う手段と、合焦位置検出の結果を補正値をもとに変更する手段と、を有し、移動レンズ群の位置によって、補正値を変更する。【選択図】図１
2018180131.tif 000002
【特許請求の範囲】
【請求項１】
フォーカシングのために移動するフォーカスレンズ群と、
変倍時に移動する少なくとも二つの変倍レンズ群と、
前記フォーカスレンズ群、前記変倍レンズ群以外に光軸方向に可動な移動レンズ群と、
前記レンズからの被写体光を受光して映像信号を記録する手段と、
前記被写体光の前記映像信号または位相差信号に基づいて合焦位置を演算する手段と、
合焦位置検出の結果を補正値をもとに変更する手段と、を有し、
前記移動レンズ群の位置によって、前記補正値を変更することが可能であることを特徴とする撮像装置。
【請求項２】
前記移動レンズ群は屈折力を有するレンズであることを特徴とする請求項１に記載の撮像装置。
【請求項３】
前記撮像装置は撮像レンズ交換が可能であることを特徴とする請求項１又は請求項２に記載の撮像装置。
【請求項４】
前記撮像装置は広角端の最小のＦナンバーよりも、望遠端の最小のＦナンバーが大きいレンズを有し、広角端における、前記移動レンズ群の移動量に対する前記補正値の変化量は、望遠端における、前記移動レンズ群の移動量に対する前記補正値の変化量よりも大きいことを特徴とする請求項１乃至請求項３の何れか一項に記載の撮像装置。
【請求項５】
前記撮像装置は前記移動レンズ群よりも物体側の光路に挿抜可能なエクステンダレンズ群を有し、
前記エクステンダレンズ群の挿入により全系の焦点距離を変更することが可能であり、
全系の焦点距離が長い状態となる前記エクステンダレンズ群の挿抜状態の場合は、全系の焦点距離が短い状態となる前記エクステンダレンズ群の挿抜状態の場合よりも、前記移動レンズ群の移動量に対する前記補正値の変化量が小さいことを特徴とする請求項１乃至請求項４の何れか一項に記載の撮像装置。
【請求項６】
前記撮像装置は前記移動レンズ群よりも像側の光路に挿抜可能なエクステンダレンズ群を有し、
前記エクステンダレンズ群の挿入により全系の焦点距離を変更することが可能であり、
全系の焦点距離が長い状態となる前記エクステンダレンズ群の挿抜状態の場合は、全系の焦点距離が短い状態となる前記エクステンダレンズ群の挿抜状態の場合よりも、前記移動レンズ群の移動量に対する前記補正値の変化量が大きいことを特徴とする請求項１乃至請求項４の何れか一項に記載の撮像装置。
【請求項７】
前記エクステンダレンズ群挿入時に、前記移動レンズ群の位置によって、前記補正値を変更しないことを特徴とする以下の一式を満たす請求項５に記載の撮像装置。
ｆｗＥＸＴ／ｆｗ  ＞  １．３
ただし、
ｆｗＥＸＴ：前記エクステンダレンズ群を挿入時の広角端での焦点距離
ｆｗ：前記エクステンダレンズ群の未挿入時の焦点距離
【請求項８】
前記撮像装置は、前記移動レンズ群の光軸方向の位置を検出可能な手段を有することを特徴とする請求項１乃至請求項７の何れか一項に記載の撮像装置。
【請求項９】
前記移動レンズ群の変倍時の移動量は以下の式で表されることを特徴とする請求項１乃至請求項８の何れか一項に記載の撮像装置。
０．００≦Ｍｍ／Ｍｚ≦０．１０
ただし、
Ｍｍ：移動レンズ群の変倍時の最大移動量
Ｍｚ：変倍レンズ群における、広角端から望遠端にかけて最も移動するレンズ群の最大移動量
【発明の詳細な説明】
【技術分野】
【０００１】
本発明は、撮像装置および合焦位置検出方法に関する。
【背景技術】
【０００２】
テレビカメラや映画用カメラ、写真用カメラ、ビデオカメラ等の撮像装置の合焦位置調節方法の一般的な方式として、位相差信号を利用した位相差ＡＦや撮像信号を利用したコントラストＡＦ方式が知られている。この種の合焦位置調節方法は、光学系の諸収差により、合焦位置検出結果に誤差を生じることがあり、その誤差を低減するための方法が、提案されている。
【０００３】
特許文献１には、合焦位置検出を行うための信号の評価周波数によって、合焦位置検出結果を補正するための補正値を変更することが必要であることを開示している。さらに、各ズーム位置、フォーカスレンズ位置、開口絞りの状態に応じても、その補正値を変更することが開示されている。
【０００４】
特許文献２には、各ズーム位置、フォーカスレンズ位置、開口絞りの状態に応じても、補正値を変更することに加え、色による補正値の変更、縦横方向のコントラストを考慮した補正値の変更について開示されている。
【先行技術文献】
【特許文献】
【０００５】
【特許文献１】国際公開第０９／０２８１８１号パンフレット
【特許文献２】特開２０１５−１３８２００号公報
【発明の概要】
【発明が解決しようとする課題】
【０００６】
しかしながら、特許文献１，２では、このズーム、フォーカス、開口絞り以外の光学系の変更を行った場合について言及されていない。そのため、ズーム、フォーカス、開口絞り以外の光学系の変更によって、収差の状態が変化した場合、補正値は変更されず、合焦位置検出結果に誤差が生じることとなる。結果として、合焦判定の精度が低下するという問題が存在する。
【０００７】
本発明は、上記の問題点に鑑み、ズーム、フォーカス、開口絞り以外の光学系の変更による収差の変化の影響を加味した補正値の変更を行うことにより、より高精度な合焦位置検出を行うことが可能な撮像装置を提供することを目的とする。
【課題を解決するための手段】
【０００８】
上記の目的を達成するために、本発明に係る撮像装置は、
フォーカシングのために移動するフォーカスレンズ群と、変倍時に移動する少なくとも二つの変倍レンズ群と、前記フォーカスレンズ群、前記変倍レンズ群以外に光軸方向に可動な移動レンズ群と、前記レンズからの被写体光を受光して映像信号を記録する手段と、前記被写体光の前記映像信号または位相差信号に基づいて合焦位置検出を行う手段と、合焦位置検出の結果を補正値をもとに変更する手段と、を有し、前記移動レンズ群の位置によって、前記補正値を変更することが可能であることを特徴とする。
【発明の効果】
【０００９】
本発明によれば、合焦位置検出において、ズーム、フォーカス、開口絞り以外の光学系の変更による収差の変化の影響を低減させることが可能となり、より高精度な合焦位置検出を行うことが可能な撮像装置を得られる。
【図面の簡単な説明】
【００１０】
【図１】本発明の撮像装置の実施例１の構成図である。
【図２】実施例１の合焦位置検出のフローである。
【図３】移動レンズ群が基準位置の場合と、基準位置から移動した場合における合焦位置検出信号と映像信号のピント位置の例である。
【図４】実施例１の移動レンズ群の位置に対する補正値の変化を示すグラフである。
【図５】本発明の撮像装置の実施例２の構成図である。
【図６】実施例２の合焦位置検出のフローである。
【図７】実施例２の移動レンズ群の位置に対する補正値の変化を示すグラフである。
【図８】本発明の撮像装置の実施例３の構成図である。
【図９】実施例３の移動レンズ群の位置に対する補正値の変化を示すグラフである。
【発明を実施するための形態】
【００１１】
本発明の撮像装置における移動レンズ群の役割について説明する。
【００１２】
本発明の移動レンズ群の役割は、フランジバック調整レンズ群、またはマクロレンズ群、収差変化レンズ群などとしての利用を想定している。フランジバック調整レンズ群とは、カメラのフランジバックとレンズのフランジバックを合わせるためのレンズ群である。マクロレンズ群とは、フォーカスレンズ群により合焦を行うことのできる範囲よりも、至近側を撮影したい際などに利用するレンズ群である。収差変化レンズ群とは、ソフトフォーカスレンズのように、諸収差を意図的に変動をさせ、撮影画像に効果を持たせる役割を担うレンズ群である。
【００１３】
ここでは、移動レンズ群の役割について３つ述べたが、前記３つの役割以外でもよく、さらには一つのレンズ群で複数の役割を兼ねても良い。
【００１４】
以下、添付した図を参照しながら、本発明の撮像装置の特徴を示す。
【実施例１】
【００１５】
図１は本発明の撮像装置の実施例１の構成図である。
【００１６】
物体側から順にフォーカシングのために移動するフォーカスレンズ群ＬＦと変倍時に光軸方向に移動する変倍レンズ群ＬＺ、開口絞りＳＰ、変倍時固定のリレー群ＬＲ、移動レンズ群ＬＭを有する。また、それらの光学系を通過する、物体側からの光を受光して位相差信号と映像信号を同時に取得する撮像手段Ｉを有する。また、フォーカスレンズ群位置検出手段ＬＦＤと、変倍レンズ群位置検出手段ＬＺＤ、開口絞りの位置検出手段ＳＰＤ、移動レンズ群の位置検出手段ＬＭＤ、とを有する。さらに、撮影する画像内での合焦位置検出を行う位置取得手段ＩＤ、合焦判定を行うために必要な補正値を含む各種値を記憶させている記憶手段Ｍ、合焦位置検出を行うために種々の演算を行う演算手段Ｃ、表示手段Ｖ、フォーカスレンズ群制御手段ＬＦＣを有する。
【００１７】
変倍は変倍レンズ群ＬＺが光軸方向に移動するが、変倍に伴う微小なピントずれを補正するために、移動レンズ群ＬＭを変倍レンズ群ＬＺの位置に応じて、微小に移動させてもよい。
【００１８】
図２は本実施例の合焦位置検出フローである。図２に示した合焦位置検出フローを参照しながら、詳細に説明する。
【００１９】
まず、ステップＳ１０１において、撮影されている画面内のどの位置で合焦位置検出を行うか特定するため、合焦位置検出を行う位置取得手段ＩＤから取得する。合焦位置検出を行う位置取得手段ＩＤとしては、例えば、撮影画面内の所定のエリア或いは位置を指定できる手段（マウス、ジョイスティック等のポインティングデバイス、または、画面内の座標値を直接入力する手段）等を使用することが考えられる。さらには、顔認識機能などによる自動での位置指定可能な手段を利用してもよい。
【００２０】
Ｓ１０２においてＳ１０１にて取得した合焦検出位置に対して、合焦位置検出演算を行う。合焦位置検出の演算としては、撮像手段Ｉの位相差信号を利用することができる。位相差信号の取得に関しては、例えば、特開２０１５−１３８２００号公報の図３から図５で説明されているような方法を用いればよい。得られた一対の位相差信号に対して信号のズレ量を算出し、予め記憶手段Ｍに記憶されているデフォーカス量への換算係数を用いて、デフォーカス量を算出、合焦位置検出を行う。
【００２１】
続くＳ１０３において、フォーカスレンズ群位置検出手段ＬＦＤ、変倍レンズ群位置検出手段ＬＺＤ、開口絞り位置検出手段ＳＰＤにより、各々の位置を検出する。
【００２２】
さらにはＳ１０４において、Ｓ１０３にて取得した各々の位置に応じた補正値を記憶手段Ｍから取得する。
【００２３】
この補正値が必要な理由について説明する。映像信号に対して加算や間引きをした信号を合焦位置検出信号として利用する場合、映像信号に対して評価帯域が低くなる。そのため、球面収差が発生している場合は帯域の差により映像信号と合焦位置検出信号のピント位置の違いが発生し、補正値が必要となる。また、緑のカラーフィルタを有する画素の出力信号を主とした合焦位置検出信号として使用する場合、色収差により映像信号と合焦位置検出信号のピント位置の違いが発生し、補正値が必要となる。さらに、水平方向の信号に対して合焦位置検出を行う場合、または垂直方向のみの合焦位置検出信号行う場合は、非点収差により映像信号と合焦位置検出信号のピント位置の違いが発生し、補正値が必要となる。
【００２４】
上述したように、映像信号と合焦位置検出信号が異なり、さらに撮像装置にて収差が発生しているために補正値が必要となってくる。Ｓ１０３にて、フォーカスレンズ、変倍レンズ、開口絞りの位置を検出する理由は、光学系が変化すると収差が変化し、必要な補正値も変化するためである。
【００２５】
Ｓ１０５、Ｓ１０６では、移動レンズ群ＬＭの位置を検出し、補正値の修正を行う。補正値の修正が必要な理由を図３で説明する。
【００２６】
図３は、合焦位置検出信号と映像信号のピント位置を示し、移動レンズ群ＬＭが基準位置の場合と、移動レンズ群ＬＭが基準位置から移動した場合の例を示している。
【００２７】
移動レンズ群ＬＭが基準位置にあるときは、前述したように、諸収差により、合焦位置検出信号と映像信号のピント位置が異なるために、補正を行う必要がある。移動レンズ群ＬＭが基準位置から移動した場合は、基準位置から移動したことによる諸収差の変化により、合焦位置検出信号と映像信号のそれぞれのピント位置が変化する。その結果、移動レンズ群ＬＭが基準位置にあるときに対して、ピント位置の相対関係が変化するので、補正値を修正する必要がある。移動レンズ位置検出手段ＬＭＤとしては、例えば、撮像装置にエンコーダを搭載し、そのエンコーダにより位置を検出しても良い。
【００２８】
図４に、移動レンズ群ＬＭの位置に対する補正値の修正データを示す。図４は、横軸が移動レンズ群ＬＭの位置、縦軸が補正値のグラフである。変倍レンズ群ＬＺの位置によって、補正値の修正データを変化させていることを示している。これは、変倍レンズ群ＬＺの位置によって、移動レンズ群の移動による諸収差への影響が変化するためである。特に、広角端の最小のＦナンバーよりも、望遠端の最小のＦナンバーが大きい特徴を持つＦドロップの特性を有するレンズでは、望遠端において、移動レンズ群の移動による諸収差への影響が小さくなる。そのため、Ｆドロップの特性を有するレンズでは、図４に示すように補正値の変化量を小さくする必要がある。
【００２９】
Ｆドロップの特性を有するレンズで、望遠側での補正値の変化量が十分に小さい場合は、記憶手段ｍにおけるデータ容量を小さくするため、所定の焦点距離よりも望遠側での補正値の変化のテーブルを持たず、補正値の変化量をゼロとすることが望ましい。
【００３０】
また、図４では変倍レンズ群ＬＺの位置によって、補正値の修正データを変更させる例を示しているが、変倍レンズ群ＬＺの位置による変更に限定されない。例えば、フォーカスレンズ群ＬＦの位置による修正データの変更や、開口絞りＳＰの径の変更による修正データの変更でも良い。さらには、変倍レンズ群ＬＺの位置と、フォーカスレンズ群ＬＦの位置のそれぞれの位置毎に補正値の修正データを保持しても良い。
【００３１】
また、図４では、移動レンズ群ＬＭの位置によって、補正値を線形に変化させる例を示しているが、二次関数や指数関数的に変化させても良い。さらには、移動レンズ群の移動区間全域を複数の区間に分割し、区間毎に補正値を変更する不連続な補正値の修正データであっても良い。
【００３２】
Ｓ１０７では、Ｓ１０２の合焦位置検出演算結果に対して、Ｓ１０６において修正された補正値を元に補正を行う。
【００３３】
続くＳ１０８では、Ｓ１０７にて補正された合焦位置検出演算結果を画面に表示する。画面に表示する例としては、デフォーカス値を表示しても良いし、合焦しているかしていないかの表示であっても良く、限定されない。さらには、合焦位置検出演算結果をもとに、フォーカスレンズ群制御手段ＬＦＣを利用し、合焦状態にする自動合焦調節を行っても良い。
【００３４】
Ｓ１０４の補正値の取得の際に、記憶手段Ｍにて記憶させていない変倍レンズ群ＬＺの位置であった場合は、変倍レンズ群ＬＺの位置から広角側で最も近い位置での補正値と、望遠側で最も近い位置での補正値で補間した値を使用しても良い。補間を行う場合は線形補間でも良いし、２次関数で補間しても良く、限定されない。補間を行わない場合は、より近い変倍レンズ群ＬＺの位置での補正値をそのまま補正値として取得しても良い。記憶手段Ｍにて記憶させていないフォーカスレンズ群ＬＦの位置や、開口絞りＳＰの径での補正値の取得においても同様である。さらには、記憶手段Ｍにて記憶させていない位置での補正値の取得においても同様に、合焦位置検出を行う位置の最も近い位置での補正値を使用しても良い。また、補間した補正値を使用する場合は、線形補間、２次関数、３次関数などで補間してもよい。
【００３５】
Ｓ１０６の補正値の修正の際に、記憶手段Ｍにて記憶させていない変倍レンズ群ＬＺの位置であった場合は、広角側で最も近い位置での補正値の修正データと、望遠側で最も近い位置での補正値の修正データで補間した値をもとに修正しても良い。補間を行う場合は線形補間でも良いし、２次関数で補間しても良く、限定されない。補間を行わない場合は、より近い変倍レンズ群ＬＺの位置での補正値の修正データをもとに、補正値を修正しても良い。記憶手段Ｍにて記憶させていないフォーカスレンズ群ＬＦの位置や、開口絞りＳＰの径での補正値の修正においても同様である。さらには、記憶手段Ｍにて記憶させていない位置での補正値の修正においても同様に、合焦位置検出を行う位置の最も近い位置での補正値の修正データを使用しても良い。また、補間した補正値の修正データを使用する場合は、線形補間、２次関数、３次関数などで補間してもよい。
【００３６】
ここでは、位相差信号を利用した合焦位置検出の演算を行う例を示しているが、フォーカスレンズ群ＬＦをウォブリングさせて得られる映像信号のコントラストを利用し、合焦位置検出を行うコントラスト検出方式に対して、補正値の修正を行っても良い。
【００３７】
以上の実施例１に示すように、ズーム、フォーカス、開口絞り以外の光学系の変更による収差の変化の影響を加味した補正値の修正を行うことにより、より高精度な合焦位置検出を行うことが可能な撮像装置を提供することが可能となる。
【実施例２】
【００３８】
図５は本発明の撮像装置の実施例２の構成図である。実施例１の構成に加えて、移動レンズ群ＬＭよりも物体側に光路に挿抜可能なエクステンダレンズ群ＬＥＸＴ、そのエクステンダレンズ群ＬＥＸＴの挿抜状態を検出するエクステンダレンズ位置検出手段ＬＥＸＴＤを有する。エクステンダレンズ群ＬＥＸＴを光路に挿入することによって、全系の焦点距離を変更することができる。また、実施例１と比較して、移動レンズ群位置検出手段ＬＭＤと、フォーカスレンズ群制御手段ＬＦＣを持たない構成となっている。
【００３９】
本実施例では、実施例１と異なり、移動レンズ群位置検出ＬＭＤを持たないため、予め移動レンズ群ＬＭの位置を記憶手段Ｍに記憶させる必要がある。記憶手段Ｍに移動レンズ群ＬＭの位置を記憶させるためには、移動レンズ群ＬＭの移動量をユーザーが直接、記憶手段Ｍに書き込む方法がある。また、他の例としては位相差の測定結果を利用した方法も挙げられる。具体的には、既知の距離にある被写体に対して、移動レンズ群ＬＭと、フォーカスレンズ群ＬＦと、変倍レンズ群ＬＺと、開口絞りＳＰを所定の位置にしたときの位相差を測定し、その位相差から移動レンズ群ＬＭの位置を換算し、記憶させる方法である。
【００４０】
図６は本実施例の合焦位置検出フローである。図６に示した合焦位置検出フローを参照しながら、詳細に説明する。
【００４１】
Ｓ２０１，２０２については実施例１のＳ１０１，１０２と同様に、合焦位置の取得と合焦位置の演算を行う。
【００４２】
続くＳ２０３で、フォーカスレンズ群位置検出手段ＬＦＤ、変倍レンズ群位置検出手段ＬＺＤ、開口絞り位置検出手段ＳＰＤ、エクステンダレンズ位置検出手段ＬＥＸＴＤにより、各々の位置を検出する。
【００４３】
Ｓ２０４では、Ｓ２０３にて取得した各々の位置に応じた補正値を記憶手段Ｍから取得する。
【００４４】
続くＳ２０５では、予め記憶手段Ｍに記憶させている移動レンズ群ＬＭの位置を取得する。
【００４５】
Ｓ２０６では、Ｓ２０５で取得した移動レンズ群ＬＭの位置をもとに、補正値の修正を行う。図７に移動レンズ群ＬＭの位置に対する補正値の修正データを示す。図７は、横軸が移動レンズ群ＬＭの位置、縦軸が補正値のグラフである。エクステンダレンズ群ＬＥＸＴ挿抜の状態に応じて、補正値の修正データを変化させることを示している。これは、エクステンダレンズ群ＬＥＸＴの挿抜の状態によって、移動レンズ群の移動による諸収差への影響が変化するためである。特に、移動レンズ群ＬＭよりも物体側に配置されたエクステンダレンズ群ＬＥＸＴの挿入により、焦点距離が望遠側にシフトするレンズでは、移動レンズ群の移動による諸収差への影響が小さくなるので、図７のように補正値の変化量を小さくする必要がある。
【００４６】
また、エクステンダレンズ群ＬＥＸＴを有する以下の（１）式を満たす撮像装置では、全系の焦点距離が望遠側にシフトした際の補正値の変化量は非常に小さくなる。記憶手段ｍにおける補正値の修正データのデータ容量を小さくするために、エクステンダレンズ群ＬＥＸＴ挿入時の補正値変化のテーブルを持たず、補正値の変化量をゼロとすることが望ましい。
【００４７】
ｆｗＥＸＴ／ｆｗ  ＞  １．３      ・・・（１）
続くＳ２０７、Ｓ２０８では、実施例１のＳ１０７、Ｓ１０８と同様に、Ｓ２０２の合焦位置演算結果に対して、Ｓ２０６において修正された補正値を元に補正を行い、補正された合焦位置演算結果を画面に表示する。
【００４８】
以上の実施例２は、エクステンダの挿抜状態によるデータの増加を抑えつつ、ズーム、フォーカス、開口絞り以外の光学系の変更による収差の変化の影響を加味した補正値の修正を行い、高精度な合焦位置検出を行うことが可能な撮像装置を提供できる。
【実施例３】
【００４９】
図８は本発明の撮像装置の実施例３の構成図である。実施例２の構成と異なるのは、開口絞りＳＰよりも像側の構成である。本実施例の開口絞りＳＰより像側の構成は、物体側から順に、変倍時固定のリレー１群ＬＲ１、移動レンズ群ＬＭ、光路に挿抜可能なエクステンダレンズ群１のＬＥＸＴ１、変倍時固定のリレー２群ＬＲ２を有する。本実施例の撮像装置は、エクステンダレンズ群１のＬＥＸＴ１からエクステンダレンズ群２のＬＥＸＴ２に変更することが可能であり、エクステンダレンズ群２のＬＥＸＴ２にすることにより、全系の焦点距離を長焦点側にシフトすることができる。さらには、移動レンズ群の位置検出手段ＬＭＤを有する。
【００５０】
本実施例の合焦位置検出フローは実施例２と同じため、ここでは省略する。図９に、移動レンズ群ＬＭの位置に対する補正値の修正データを示す。図９は、横軸が移動レンズ群ＬＭの位置、縦軸が補正値のグラフである。エクステンダレンズ群１のＬＥＸＴ１とエクステンダレンズ群２のＬＥＸＴ２の挿抜の状態に応じて、補正値の修正データを変化させることを示している。これは、エクステンダレンズの挿抜の状態によって、移動レンズ群の移動による諸収差への影響が変化するためである。特に、移動レンズ群ＬＭよりも像側に配置されたエクステンダレンズ群２のＬＥＸＴ２の挿入により、焦点距離が望遠側にシフトする場合、移動レンズ群ＬＭの移動による諸収差への影響が大きくなるので、図９のように補正値の変化量が大きくする必要がある。
【００５１】
以上の実施例３は、実施例１、２と同様に、ズーム、フォーカス、開口絞り以外の光学系の変更による収差の変化の影響を加味した補正値の修正を行い、より高精度な合焦位置検出を行うことが可能な撮像装置を提供することが可能となる。
【００５２】
以上、本発明の好ましい実施例について説明したが、本発明はこれらの実施例に限定されず、その要旨の範囲内で種々の変形及び変更が可能である。
【符号の説明】
【００５３】
ＬＦ  フォーカスレンズ群、ＬＺ  変倍レンズ群、ＳＰ  開口絞り、
ＬＲ  リレー群、ＬＭ  移動レンズ群、
Ｉ  位相差信号と映像信号を取得可能な撮像手段、
ＬＦＤ  フォーカスレンズ群位置検出手段、ＬＺＤ  変倍レンズ群位置検出手段、
ＳＰＤ  開口絞り位置検出手段、ＬＭＤ  移動レンズ群の位置検出手段、
ＩＤ  合焦位置検出を行う位置取得手段、Ｍ  記憶手段、Ｃ  演算手段、
Ｖ  表示手段、ＬＦＣ  フォーカスレンズ群制御手段
【図１】
2018180131.tif 000003
【図２】
2018180131.tif 000004
【図３】
2018180131.tif 000005
【図４】
2018180131.tif 000006
【図５】
2018180131.tif 000007
【図６】
2018180131.tif 000008
【図７】
2018180131.tif 000009
【図８】
2018180131.tif 000010
【図９】
2018180131.tif 000011